(57)【要約】【課題】吸音性能に優れる吸音塀を提案する。【解決手段】地表に適宜間隔で立設された支柱にパネルが設けられた塀に於いて、このパネルが適宜間隔をおいて設けられた一対の板材とこの板材の上下縁部に設けられた横桟とからなり、裏面の板材は合成樹脂からなる基体とこの基体の表裏に設けられた金属板からなり、表面の板材は多孔質体からなり、表裏の板材の間に吸音材が設けられていることを特徴とするものであり、表面の板材を透過した音が吸音材に吸収されるようになされているので、吸音性に優れると共に、裏面の板材に遮られて音が裏面側に漏れにくい。【選択図】        図１
2005264572.tif 000002
【特許請求の範囲】
【請求項１】
地表に適宜間隔で立設された支柱にパネルが設けられた塀に於いて、このパネルが適宜間隔をおいて設けられた一対の板材とこの板材の上下縁部に設けられた横桟とからなり、裏面の板材は合成樹脂からなる基体とこの基体の表裏に設けられた金属板からなり、表面の板材は多孔質体からなり、表裏の板材の間に吸音材が設けられていることを特徴とする吸音塀。
【請求項２】
表面の板材は合成樹脂からなる基体とこの基体の表裏に設けられた金属板からなり、この板材に多数の透孔が穿設されたことを特徴とする請求項１に記載の吸音塀。
【請求項３】
表面の板材は金属繊維をエクスパンドメタルで挟み圧着して作製されたものであることを特徴とする請求項１に記載の吸音塀。
【発明の詳細な説明】
【技術分野】
【０００１】
本発明は、住宅や駐車場などの敷地境界や道路境界などに好適に設けられる乾式の塀に関し、特に吸音性に優れた塀に関する。
【背景技術】
【０００２】
【特許文献１】実開昭５３−１０５４７号公報
【特許文献２】特開平９−１４４３８７号公報
【特許文献３】特開２００２−１７４０５６号公報  従来、実開昭５３−１０５４７号公報には支柱に設けられた断面コ字形の止め金具に鋼板塀が取り付けられた乾式の塀が提案されている。又、特開平９−１４４３８７号公報には、取付板部を持つ支柱と、外装材とこれに鉛直方向に取り付けた断面Ｃ字形取付部材とを備え、断面Ｃ字形取付部材に支柱の取付板部を入れ込むことで支柱に対してセメント系無機質板などからなる外装材を取り付けた乾式外構が提案されている。又、本出願人は特開２００２−１７４０５６号公報において、地表に適宜間隔をおいて立設された支柱と、この支柱の表裏に間隔をおいて取着されたパネルからなる乾式塀であって、このパネルが合成樹脂からなる基体とこの基体の表裏に貼着された金属箔から製せられた乾式塀を提案している。
【発明の開示】
【発明が解決しようとする課題】
【０００３】
しかしながら上記実開昭５３−１０５４７号公報に提案されている如き乾式の塀に於いては、鋼板塀の重量が嵩み、施工性に問題があった。又、特開平９−１４４３８７号公報に提案されている乾式外構に於いては、セメント系無機質板をパネルとするため重量が嵩み、施工性に問題があった。更に、上記いずれの乾式塀に於いても、視線を遮るという効果はあるものの、遮音性能が劣るという問題があった。又、本出願人が特開２００２−１７４０５６号公報において提案した地表に適宜間隔をおいて立設された支柱と、この支柱の表裏に間隔をおいて取着されたパネルからなる乾式塀であって、このパネルが合成樹脂からなる基体とこの基体の表裏に貼着された金属箔から製せられた乾式塀はパネル間の隙間や、パネルと地表の間の隙間から音が漏れやすいという問題があり、パネル自体の遮音能力の更に高いものが要求されている。
【０００４】
そこで本発明者は従来の欠点に鑑み鋭意研究の結果、吸音性能に優れる吸音塀を提案するものである。
【課題を解決するための手段】
【０００５】
本発明請求項１記載の吸音塀は、地表に適宜間隔で立設された支柱にパネルが設けられた塀に於いて、このパネルが適宜間隔をおいて設けられた一対の板材とこの板材の上下縁部に設けられた横桟とからなり、裏面の板材は合成樹脂からなる基体とこの基体の表裏に設けられた金属板からなり、表面の板材は多孔質体からなり、表裏の板材の間に吸音材が設けられていることを特徴とするものであり、表面の板材を透過した音が吸音材に吸収されるようになされている。
【０００６】
本発明請求項２記載の吸音塀は、表面の板材は合成樹脂からなる基体とこの基体の表裏に設けられた金属板からなり、この板材に多数の透孔が穿設されたことを特徴とする請求項１に記載の吸音塀であり、表面の板を透過した音が吸音材に吸収される。
【０００７】
本発明請求項３記載の吸音塀は、表面の板材は金属繊維をエクスパンドメタルで挟み圧着して作製されたものであることを特徴とする請求項１に記載の吸音塀で、表面の板材が音を吸収すると共に、その背後の吸音材が音を吸収するので吸音効果に優れる。
【発明の効果】
【０００８】
上述の如く、本発明請求項１記載の吸音塀は、地表に適宜間隔で立設された支柱にパネルが設けられた塀に於いて、このパネルが適宜間隔をおいて設けられた一対の板材とこの板材の上下縁部に設けられた横桟とからなり、裏面の板材は合成樹脂からなる基体とこの基体の表裏に設けられた金属板からなり、表面の板材は多孔質体からなり、表裏の板材の間に吸音材が設けられていることを特徴とするものであり、表面の板材を透過した音が吸音材に吸収されるようになされているので、吸音性に優れると共に、裏面の板材に遮られて音が裏面側に漏れにくい。
【０００９】
又、本発明請求項２記載の吸音塀は、表面の板材は合成樹脂からなる基体とこの基体の表裏に設けられた金属板からなり、この板材に多数の透孔が穿設されたことを特徴とする請求項１に記載の吸音塀であり、表面の板を透過した音が吸音材に吸収されるので、吸音性に優れると共に、裏面の板材に同一のものを用いることができるので、違和感がない。
【００１０】
又、本発明請求項３記載の吸音塀は、表面の板材は金属繊維をエクスパンドメタルで挟み圧着して作製されたものであることを特徴とする請求項１に記載の吸音板で、表面の板材が音を吸収すると共に、その背後の吸音材が音を吸収するので吸音効果に優れる。
【発明を実施するための最良の形態】
【００１１】
以下、図面を参照しながら本発明に付いて説明する。
図１は本発明吸音塀の実施形態の一例を示す正面図であり、図に於いて１はパネルであり、地表に適宜間隔で立設された支柱２間に亘って架設されている。パネルの上縁には笠木３が設けられ、パネルを保持するとともに、パネルの上縁を隠蔽している。
【００１２】
パネルの上縁と下縁には、断面コ字形の横枠が配設され、左右縁には縦枠が配設されている。この横枠と縦枠の表裏に複合板が空間を介して設けられている。表裏の複合板間の空間にはグラスウール製のマットが挿入されている。
【００１３】
本発明吸音塀における第１の例について説明する。この例においては、図２に示すように裏面の板材は発泡ポリエチレンからなる基体の表面と裏面にアルミ合金板１２が貼着されたものであり、表面の板材は発泡ポリエチレンからなる基体の表面と裏面にアルミ合金板１２が貼着され、多数の透孔が穿設されている。基体１１を構成する合成樹脂としては、廃棄物として焼却されたときなどに塩素ガスやダイオキシンなどの有害な物資を排出することがないオレフィン系合成樹脂が好適に用いらられるが、発泡ポリエチレンが用いられれば更に軽量で、運搬性や施工性に優れる。
【００１４】
前記基体１１の表面に貼着されたアルミ合金板１２の表面には、合成樹脂からなる化粧層１３が形成されているが、この化粧層１３はオレフィン系合成樹脂、フッ素樹脂、塩化ビニル樹脂などの合成樹脂フィルムがアルミ合金板１２の表面に貼着されて形成されてもよいし、エポキシ樹脂やアクリル樹脂塗装により形成されても良いが、耐候性に優れ表面硬度が高く傷が付きにくいポリエステル焼き付け塗装が特に好適である。又、この化粧層１３は平滑面に形成されても良いが、エンボス処理が施されれば美麗で更に優れたものとなる。
【００１５】
上記の例に於いては、表裏の板材の間にはグラスウール製のマットが挿入されていたが、これに限るものではなく、発泡スチロールや段ボール、ポリカーボネートなどの適宜材料が挿入されればよいし、空間の儘でもよいが、前記したグラスウール製のマットが吸音性に優れ好適に用いられる。
【００１６】
本発明吸音塀における第２の例について説明する。この例においては、裏面の板材は発泡ポリエチレンからなる基体の表面と裏面にアルミ合金板１２が貼着されたものであり、表面の板材はアルミ合金繊維の表裏にアルミ合金製のエクスパンドメタルが配設されて積層体が構成され、この積層体が圧着されて板材とされたものである。この表面の板材は、多孔質で音を吸収しやすく、表裏の板材の間に配設されたグラスウール製のマットと相まって吸音塀の吸音能力が高められる。
【図面の簡単な説明】
【００１７】
【図１】本発明吸音塀の実施形態の一例を示す正面図である。
【図２】本発明吸音塀の実施形態の一例を示す断面図である。
【符号の説明】
【００１８】
１    板材
１１  基体
１２  アルミ合金板
１３  化粧層
２    支柱
３    笠木
【図１】
2005264572.tif 000003
【図２】
2005264572.tif 000004